(57)【特許請求の範囲】
【請求項１】
シンバルを長尺部材に取り付けるための取付構造であって、前記シンバルは、トップシンバル、及び前記トップシンバルと同軸上でかつ対向して配置されるボトムシンバルからなるシンバルの取付構造において、
前記長尺部材に設けられ、前記ボトムシンバルを下方から支持する支持具と、
前記長尺部材における前記支持具よりも上方に設けられ、前記トップシンバルを前記長尺部材に取り付けるための取付具と、
前記支持具及び前記取付具の少なくとも一方に設けられ、前記トップシンバル及び前記ボトムシンバルの少なくとも一方を前記長尺部材の軸線と直交する水平面に対し傾斜させる方向に付勢する付勢手段とを備えることを特徴とするシンバルの取付構造。
【請求項２】
請求項１記載のシンバルの取付構造において、
前記トップシンバルは、前記ボトムシンバルに対し接離可能となるよう前記長尺部材に取り付けられていることを特徴とするシンバルの取付構造。
【請求項３】
請求項１又は２記載のシンバルの取付構造において、
前記付勢手段は、前記トップシンバル及び前記ボトムシンバルの軸線から径方向に離間して配置されていることを特徴とするシンバルの取付構造。
【請求項４】
請求項１〜３のうちいずれか一項に記載のシンバルの取付構造において、
前記付勢手段は、前記トップシンバルと反対側に位置する前記ボトムシンバルの下面を付勢することを特徴とするシンバルの取付構造。
【請求項５】
請求項１〜４のうちいずれか一項に記載のシンバルの取付構造において、
前記支持具は、前記長尺部材に固定されるリテーナと、前記リテーナに対し回動可能に取り付けられて前記ボトムシンバルが載置される受け皿とを備え、
前記付勢手段は、前記受け皿と前記リテーナとの間に設けられて前記受け皿の回動中心と反対側に位置し、前記リテーナから前記受け皿を離間する方向に付勢することを特徴とするシンバルの取付構造。
【請求項６】
請求項１〜５のうちいずれか一項に記載のシンバルの取付構造において、
前記支持具は、更に、前記トップシンバル及び前記ボトムシンバルが合着したときに付与される付勢力を調節するための調節手段を備えていることを特徴とするシンバルの取付構造。
【請求項７】
請求項５記載のシンバルの取付構造において、
前記受け皿は、前記リテーナに対し着脱可能であることを特徴とするシンバルの取付構造。
【請求項８】
請求項１〜７のうちいずれか一項に記載のシンバルの取付構造において、
前記取付具は、対向する位置に設けられた一対の突部を有し、前記一対の突部を介して前記トップシンバルに点接触することを特徴とするシンバルの取付構造。
【請求項９】
請求項８記載のシンバルの取付構造において、
前記取付具の表面には目印が設けられ、前記目印は、前記長尺部材に取り付けられた前記取付具の向きを表示することを特徴とするシンバルの取付構造。
【請求項１０】
トップシンバル、及び前記トップシンバルと同軸上でかつ対向して配置されるボトムシンバルからなるハイハットが取り付けられるハイハットスタンドであって、
中空のパイプを有するスタンド本体と、
前記スタンド本体の下端に設けられ、前記ハイハットの演奏時に操作されるフットペダルと、
前記パイプ内に配置され、前記フットペダルの踏み込みに伴い上下動するロッドと、
前記パイプの上端に設けられ、前記ボトムシンバルを下方から支持する支持具と、
前記パイプ内から上方に突出した前記ロッドに固定され、前記トップシンバルを前記ロッドに取り付けるための取付具と、
前記支持具及び前記取付具の少なくとも一方に設けられ、前記トップシンバル及び前記ボトムシンバルの少なくとも一方を前記ロッドの軸線と直交する水平面に対し傾斜させる方向に付勢する付勢手段とを備えることを特徴とするハイハットスタンド。
【請求項１１】
トップシンバル、及び前記トップシンバルと同軸上でかつ対向して配置されるボトムシンバルからなるクローズドハイハットが取り付けられるクローズドハイハットアタッチメントであって、クローズドハイハットが取り付けられる対象物を把持するクランプと、前記クローズドハイハット及び前記クランプが固定されるロッドと、前記ロッドに設けられて前記ボトムシンバルを下方から支持する支持具と、前記ロッドにおいて前記支持具よりも上方に設けられ、前記トップシンバルを前記ロッドに取り付けるための取付具とを備えたクローズドハイハットアタッチメントにおいて、
請求項３〜９のいずれか一項に記載のシンバルの取付構造を備えていることを特徴とするクローズドハイハットアタッチメント。
【発明の詳細な説明】
【技術分野】
【０００１】
本発明は、シンバルの取付構造、その取付構造を備えたハイハットスタンド及びクローズドハイハットアタッチメントに関する。
【背景技術】
【０００２】
ハイハットスタンドは、スタンド本体と、フットペダルと、フットペダルの踏み込みに伴い上下動するロッドとを備えている。ハイハットを構成する一対のシンバルのうち、ボトムシンバルは、スタンド本体の上端に少し傾けられた状態で支持され、トップシンバルは、ロッドの上端に水平な状態で取り付けられている。（例えば、特許文献１参照）。
【０００３】
ハイハットは、フットペダルを操作してロッドに取り付けられたトップシンバルをボトムシンバルに接離させることにより演奏される。フットペダルが踏み込まれると、トップシンバルは、ロッドと共に下方に移動する。このとき、まず、トップシンバルの周縁の一箇所が、ボトムシンバルの周縁において他の部分よりも高い位置にある部分と接触する。続いて、トップシンバルの周縁の残りの部分が、ボトムシンバルの周縁における高い位置から低い位置にかけて順次接触する。このように、フットペダルが踏み込まれると、トップシンバルの周縁とボトムシンバルの周縁とが同時ではなく、最初の接触箇所からそれとは反対側に向けて順次接触する。
【０００４】
こうして、トップシンバルがボトムシンバルの傾斜角度に追従してその向きを変えながらボトムシンバルに合着されることで、トップシンバル及びボトムシンバルの隙間から空気を逃がしつつ、両シンバルを合着させることができる。これにより、ハイハットに特有の音色を響かせることができる。一方、フットペダルの踏み込みを解除すれば、トップシンバルは、ロッドと共に上方に移動して、ボトムシンバルから離間する。そして、トップシンバルは、ボトムシンバルにより傾けられた状態から、元の水平な状態へと復帰する。
【０００５】
特許文献１には、ハイハットスタンドにボトムシンバルを傾けて取り付けるための構成が開示されている。この構成によれば、図９に示すように、パイプ１００の上端に、筒状のリテーナ１０１が固定されている。リテーナ１０１には、平板状の受け皿１０２が、軸１０３を介して回動可能に支持されている。受け皿１０２の上面には、ボトムシンバルＢＳの振動を吸収するため、フェルト等からなる緩衝部材１０６が配置されている。リテーナ１０１の軸１０３と反対側の端部には、ナット１０１ａが取り付けられている。ナット１０１ａには、調節ネジ１０８が、その先端を上方に向けて螺合されている。調節ネジ１０８の先端は、受け皿１０２の下面１０２ａに当接されている。上記の取付構造によれば、調節ネジ１０８を回して進退させることにより、受け皿１０２が軸１０３を中心に回動し、ボトムシンバルＢＳの傾斜角度が調節される。そして、調節ネジ１０８に螺合されたロックナット１１０をリテーナ１０１に締め付けることで、ボトムシンバルＢＳの傾斜角度が固定される。
【０００６】
なお、シンバルの取付構造として、特許文献２には、クローズドハイハットアタッチメントが開示されている。この文献に開示のクローズドハイハットアタッチメントも、図９に示す構成と類似したシンバルの取付構造を有している。
【先行技術文献】
【特許文献】
【０００７】
【特許文献１】米国特許第５０６３８１９号明細書
【特許文献２】米国特許第６１７７６２１号明細書
【発明の概要】
【０００８】
上述したように、トップシンバルは、フットペダルが踏み込まれていない状態でボトムシンバルよりも上方に配置されており、フットペダルが踏み込まれると下方に移動してボトムシンバルに合着される。しかしながら、特許文献１に開示の取付構造によれば、フットペダルの踏み込み操作によりトップシンバルを繰り返し上下動させると、トップシンバルがボトムシンバルの傾斜角度に追従して傾けられた後、元の水平な状態に復帰しないまま上昇することがある。特に、フットペダルを素早く連続的に操作する場合、トップシンバルが水平な状態に復帰できずに、傾いたままの状態で上下動することが多くなる。こうしたトップシンバルの動きによって、ハイハットに特有の音色を十分に響かせることができなくなる。
【発明が解決しようとする課題】
【０００９】
本発明の目的は、トップシンバルとボトムシンバルとの合着性を良くすることで、シンバルの音色を響かせることのできるシンバルの取付構造、ハイハットスタンド、及びクローズドハイハットアタッチメントを提供することにある。
【課題を解決するための手段】
【００１０】
上記の目的を達成するために、請求項１に記載の発明は、シンバルを長尺部材に取り付けるための取付構造であって、シンバルは、トップシンバル、及びトップシンバルと同軸上でかつ対向して配置されるボトムシンバルからなるシンバルの取付構造において、長尺部材に設けられ、ボトムシンバルを下方から支持する支持具と、長尺部材における支持具よりも上方に設けられ、トップシンバルを長尺部材に取り付けるための取付具と、支持具及び取付具の少なくとも一方に設けられ、トップシンバル及びボトムシンバルの少なくとも一方を長尺部材の軸線と直交する水平面に対し傾斜させる方向に付勢する付勢手段とを備えることを要旨とする。
【００１１】
この構成によれば、トップシンバル及びボトムシンバルの少なくとも一方が付勢手段の付勢力により長尺部材と直交する水平面に対し傾斜させられるため、トップシンバルとボトムシンバルとを合着させたときにそれらの合着性を良くすることができる。これにより、付勢手段を有しない従来構成によりシンバルを取り付ける場合と比較して、シンバルの音色を響かせることができる。
【００１２】
請求項２に記載の発明は、請求項１記載の発明において、トップシンバルは、ボトムシンバルに対し接離可能となるよう長尺部材に取り付けられていることを要旨とする。
この構成によれば、例えば、ボトムシンバルにトップシンバルを接離させて演奏されるハイハットにおいて、フットプレートが踏み込まれている状態では、付勢手段の付勢力を利用して、ボトムシンバルがトップシンバルに追従して水平な状態へとその傾きを変えるため、トップシンバル及びボトムシンバルを良好に合着させることができる。一方、フットプレートの踏み込みが解除されると、付勢手段の付勢力を利用して、ボトムシンバルは、水平にされた状態から、所定の傾斜角度に傾けられた元の状態へと復帰することができる。つまり、ボトムシンバルがトップシンバルに追従して水平な状態へとその傾きを変えることで、トップシンバルを常に水平にしたまま上下動させて両シンバルを合着させることができる。これにより、フットペダルを素早く連続的に操作する場合であっても、ハイハットに特有の音色を十分に響かせて演奏することができる。
【００１３】
請求項３に記載の発明は、請求項１又は２記載の発明において、付勢手段は、トップシンバル及びボトムシンバルの軸線から径方向に離間して配置されていることを要旨とする。
【００１４】
この構成によれば、付勢手段をトップシンバル及びボトムシンバルの軸線から径方向に離間して配置することで、付勢手段の付勢力により、トップシンバル及びボトムシンバルの少なくとも一方を、長尺部材の軸線と直交する水平面に対し確実に傾斜させることができる。
【００１５】
請求項４に記載の発明は、請求項１〜３のうちいずれか一項に記載の発明において、付勢手段は、トップシンバルと反対側に位置するボトムシンバルの下面を付勢することを要旨とする。
【００１６】
この構成によれば、付勢手段によりボトムシンバルが弾性的に下方から支持されることによって、トップシンバルとボトムシンバルとの合着性がより一層高められる。また、ハイハットの場合、上下動するトップシンバルに追従して、ボトムシンバルの傾きを円滑に変化させることもできる。これにより、フットペダルを素早く連続的に操作する場合であっても、ハイハットに特有の音色をより一層響かせて演奏することができる。
【００１７】
請求項５に記載の発明は、請求項１〜４のいずれか一項に記載の発明において、支持具は、長尺部材に固定されるリテーナと、リテーナに対し回動可能に取り付けられてボトムシンバルが載置される受け皿とを備え、付勢手段は、受け皿とリテーナとの間に設けられて受け皿の回動中心と反対側に位置し、リテーナから受け皿を離間する方向に付勢することを要旨とする。
【００１８】
この構成によれば、受け皿がリテーナに対し回動可能に取り付けられることで、ボトムシンバルの動きに合わせて受け皿を滑らかに回動させることもできる。よって、上下動するトップシンバルに追従して、ボトムシンバルの傾きをより一層円滑に変化させることができる。また、従来の取付構造から大幅な設計変更を伴わないため、既存の部品を設計し直したり、新たに別の部品を準備したりするための作業を少なくすることができる。よって、設計コストの上昇、ひいては、製造コストの上昇を抑制することもできる。
【００１９】
請求項６に記載の発明は、請求項１〜５のいずれか一項に記載の発明において、支持具は、更に、トップシンバル及びボトムシンバルが合着したときに付与される付勢力を調節するための調節手段を備えていることを要旨とする。
【００２０】
この構成によれば、調節手段によって、トップシンバル及びボトムシンバルが合着したときに付与される付勢手段の付勢力を調節することができる。これにより、シンバルを叩打したときの感触を調節したり、シンバルの音色を調節したりすることができる。
【００２１】
請求項７に記載の発明は、請求項５記載の発明において、受け皿は、リテーナに対し着脱可能であることを要旨とする。
この構成によれば、受け皿をリテーナから取り外すことにより、受け皿とリテーナとの間に取り付けられた付勢手段を交換することができる。こうして付勢手段を別のものと交換することにより、シンバルを叩打したときの感触やシンバルの音色を調節できる範囲を広くすることができる。
【００２２】
請求項８に記載の発明は、請求項１〜７のうちいずれか一項に記載の発明において、取付具は、対向する位置に設けられた一対の突部を有し、一対の突部を介してトップシンバルに点接触することを要旨とする。
【００２３】
この構成によれば、取付具とトップシンバルとの接触面積を小さく抑えることができる。よって、取付具によりトップシンバルの振動が妨げられないため、シンバルの音色をより一層響かせることができる。
【００２４】
請求項９に記載の発明は、請求項８記載の発明において、取付具の表面には目印が設けられ、目印は、長尺部材に取り付けられた取付具の向きを表示することを要旨とする。
取付具の向きによっては、取付具の突部によりトップシンバルの振動が妨げられて、シンバルの音色が響かなくなることがある。その点、この構成によれば、演奏者は、取付具の目印を見て、ハイハットが振動し易くなるように、取付具の向きを適宜調節することができる。よって、取付具の突部によりトップシンバルの振動が妨げられることを防止することができる。
【００２５】
請求項１０に記載の発明は、トップシンバル、及びトップシンバルと同軸上でかつ対向して配置されるボトムシンバルからなるハイハットが取り付けられるハイハットスタンドであって、中空のパイプを有するスタンド本体と、スタンド本体の下端に設けられ、ハイハットの演奏時に操作されるフットペダルと、パイプ内に配置され、フットペダルの踏み込みに伴い上下動するロッドと、パイプの上端に設けられ、ボトムシンバルを下方から支持する支持具と、パイプ内から上方に突出したロッドに固定され、トップシンバルをロッドに取り付けるための取付具と、支持具及び取付具の少なくとも一方に設けられ、トップシンバル及びボトムシンバルの少なくとも一方をロッドの軸線と直交する水平面に対し傾斜させる方向に付勢する付勢手段とを備えることを要旨とする。
【００２６】
この構成によれば、請求項２に記載の発明と同等の作用効果を奏するハイハットスタンドを提供することができる。
請求項１１に記載の発明は、トップシンバル、及びトップシンバルと同軸上でかつ対向して配置されるボトムシンバルからなるクローズドハイハットが取り付けられるクローズドハイハットアタッチメントであって、クローズドハイハットが取り付けられる対象物を把持するクランプと、クローズドハイハット及びクランプが固定されるロッドと、ロッドに設けられてボトムシンバルを下方から支持する支持具と、ロッドにおいて支持具よりも上方に設けられ、トップシンバルをロッドに取り付けるための取付具とを備えたクローズドハイハットアタッチメントにおいて、請求項３〜９のいずれか一項に記載のシンバルの取付構造を備えていることを要旨とする。
【００２７】
この構成によれば、請求項１に記載の発明と同等の作用効果を奏するクローズドハイハットアタッチメントを提供することができる。
【発明の効果】
【００２８】
本発明によれば、トップシンバルとボトムシンバルとの合着性を良くすることで、シンバルの音色を響かせることのできるシンバルの取付構造、ハイハットスタンド、及びクローズドハイハットアタッチメントを提供することができる。
【図面の簡単な説明】
【００２９】
【図１】本発明の第１実施形態に係るハイハットスタンドを示す側面図。
【図２】ハイハットボトムの分解斜視図。
【図３】ハイハットクラッチの分解斜視図。
【図４】ハイハットボトム及びハイハットクラッチを用いてハイハットがハイハットスタンドに取り付けられた状態を示す部分断面図。
【図５】（ａ）はフットプレートが踏み込まれていないときのトップシンバル及びボトムシンバルを示す断面図、（ｂ）はフットプレートが踏み込まれているときのトップシンバル及びボトムシンバルを示す断面図。
【図６】本発明の第２実施形態に係るクローズドシンバルアタッチメントを示す斜視図。
【図７】ハイハットボトム及びハイハットクラッチを用いてクローズドハイハットがクローズドハイハットアタッチメントに取り付けられた状態を示す断面図。
【図８】別例の圧縮コイルばねの取付位置を説明するための模式図。
【図９】従来のハイハットボトムを用いてボトムシンバルがスタンド本体に取り付けられた状態を示す部分断面図。
【発明を実施するための形態】
【００３０】
（第１実施形態）
以下、本発明のシンバルの取付構造を、ハイハットＨＳが取り付けられるハイハットスタンド１０に適用した第１実施形態について、図１〜図５（ｂ）を参照して説明する。
【００３１】
図１に示すように、ハイハットスタンド１０は、スタンド本体１２、フットペダル１１、ロッド１３、支持具としてのハイハットボトム１４、取付具としてのハイハットクラッチ１５を備えている。スタンド本体１２は、下部パイプ２１と、下部パイプ２１内に配置される長尺部材としての上部パイプ２２と、下部パイプ２１に取り付けられた三脚２３とを有している。
【００３２】
下部パイプ２１の下端には、フットペダル１１が取り付けられている。フットペダル１１は、床面Ｆに載置されるベース３１と、演奏者の足が載置されて操作されるフットプレート３２とを備えている。三脚２３は、両パイプ２１，２２の軸線を中心に開くことで、ハイハットスタンド１０を床面Ｆに対し垂直に支持する。下部パイプ２１の上端には、スタンド本体１２の高さを調節するときに操作される蝶ネジ２４が設けられている。
【００３３】
上部パイプ２２の上端には、ボトムシンバルＢＳを下方から支持するハイハットボトム１４が固定されている。両パイプ２１，２２内には、長尺部材としてのロッド１３が、その先端を上部パイプ２２の上端から突出させた状態で遊挿されている。ロッド１３の上端には、トップシンバルＴＳをロッド１３に取り付けるためのハイハットクラッチ１５が固定されている。ロッド１３の下端は、図示しない連結部材を介して、フットプレート３２の先端に連結されている。
【００３４】
ボトムシンバルＢＳは、その中央の孔にロッド１３を挿通した状態で、ハイハットボトム１４により上部パイプ２２の上端に支持されている。トップシンバルＴＳは、その中央の孔にロッド１３を挿通した状態で、ハイハットクラッチ１５によりロッド１３の上端に取り付けられている。トップシンバルＴＳ及びボトムシンバルＢＳは、互いに同軸上に、かつ対向してハイハットスタンド１０に取り付けられている。
【００３５】
次に、ハイハットボトム１４の構成について図２及び図４を参照して説明する。
図２に示すように、ハイハットボトム１４は、上面が開口した略箱状のリテーナ４１、ボトムシンバルＢＳが載置される受け皿４２、軸部４３ａ及び頭部４３ｂからなるボルト４３、付勢手段としての圧縮コイルばね４４、ロックナット４５、リング状をなす緩衝部材としてのフェルト４６を備えている。
【００３６】
リテーナ４１は、略中央に円筒軸部４１ａを有している。円筒軸部４１ａには、ロッド１３が挿通されてガイドされる挿通孔４１ｂが形成されている。リテーナ４１には、ボルト４３が挿通される挿通孔４１ｃが形成されている。リテーナ４１の外側面には、一対の突起４１ｄが形成されている。両突起４１ｄは、円筒軸部４１ａに対し挿通孔４１ｃと反対側に配置されている。受け皿４２は、ボトムシンバルＢＳが載置される円形状の載置部４２ａを有している。載置部４２ａの中央には、円筒軸部４１ａが挿通される挿通孔４２ｂが形成されている。
【００３７】
図４に示すように、ハイハットボトム１４は、リテーナ４１を介して、上部パイプ２２の上端に固定されている。リテーナ４１の挿通孔４１ｃには、ボルト４３の軸部４３ａがナット４７と共に収容されている。ボルト４３の軸部４３ａには、ロックナット４５が螺合されている。ボルト４３の軸部４３ａの下端は、リテーナ４１の下面から下方に突出している。ボルト４３の軸部４３ａの下端には、ボルト４３の頭部４３ｂが固定されている。
【００３８】
リテーナ４１の両突起４１ｄは、受け皿４２の基端部に設けられた一対の孔４２ｃに嵌め込まれている。こうして、受け皿４２は、リテーナ４１に対し着脱可能に組み付けられている。また、受け皿４２は、リテーナ４１に対し、両突起４１ｄを中心として回動可能に取り付けられている。リテーナ４１と受け皿４２との間には、圧縮コイルばね４４が、その軸線を縦方向に向けて配置されている。
【００３９】
圧縮コイルばね４４は、円筒軸部４１ａに対し受け皿４２の回動中心Ａと反対側に配置されている。圧縮コイルばね４４は、トップシンバルＴＳ及びボトムシンバルＢＳの軸線Ｃ１から径方向に離間して配置されている。圧縮コイルばね４４の下端は、ボルト４３の軸部４３ａの上端に支持されている。また、圧縮コイルばね４４の上端は、受け皿４２の先端部に設けられた支持凹部４２ｅ内に収容及び支持されている。
【００４０】
圧縮コイルばね４４は、受け皿４２及びリテーナ４１間に取り付けられた状態で、ボトムシンバルＢＳ、フェルト４６及び受け皿４２の自重により圧縮されている。圧縮コイルばね４４は、圧縮された分だけ付勢力を蓄えると共にその付勢力により、受け皿４２の先端部をリテーナ４１から離間する方向に付勢する。即ち、圧縮コイルばね４４は、両シンバルＴＳ，ＢＳの軸線Ｃ１から径方向に離間した位置で、トップシンバルＴＳと反対側に位置するボトムシンバルＢＳの下面ＢＳ１を上方に付勢する。ボトムシンバルＢＳは、圧縮コイルばね４４の付勢力により少し持ち上げられた状態で、受け皿４２と共に水平面Ｈに対し所定の傾斜角度θに傾けられている。ここで、水平面Ｈとは、長尺部材としての上部パイプ２２やロッド１３等の軸線、即ち、トップシンバルＴＳ及びボトムシンバルＢＳの軸線Ｃ１と直交する面を意味している。
【００４１】
ハイハットボトム１４は、トップシンバルＴＳ及びボトムシンバルＢＳが合着したときに付与される圧縮コイルばね４４の付勢力を調節可能に構成されている。即ち、調節手段としてのボルト４３を回して上方に移動させると、受け皿４２は、その先端部をリテーナ４１から更に離間させる方向に回動する。これにより、ボトムシンバルＢＳの傾斜角度θは更に大きくなり、両シンバルＴＳ、ＢＳが合着したときに付与される圧縮コイルばね４４の付勢力も大きくなる。これとは逆に、ボルト４３を回して下方に移動させると、受け皿４２は、その先端部をリテーナ４１に接近させる方向に回動する。これにより、ボトムシンバルＢＳの傾斜角度θは小さくなり、両シンバルＴＳ，ＢＳが合着したときに付与される圧縮コイルばね４４の付勢力も小さくなる。更に、ボルト４３に螺合されたロックナット４５をリテーナ４１に締め付けることにより、ボトムシンバルＢＳの傾斜角度θは固定される。
【００４２】
次に、ハイハットクラッチ１５の構成について図３及び図４を参照して説明する。
図３に示すように、ハイハットクラッチ１５は、略円柱状のクラッチ本体５１、ネジ５２、そのネジ５２と螺合する蝶ナット５３、中空ボルト５４、上部ロックナット５５、調整ナット５６、リング状をなす緩衝部材としてのフェルト５７、円筒状の保護カバー５８、下部ロックナット５９を備えている。ネジ５２の端部には、縦孔５２ａを有するブロック体５２ｂが形成されている。クラッチ本体５１には、ロッド１３が挿通される縦孔５１ａと、ブロック体５２ｂが収容される収容孔５１ｂと、収容孔５１ｂに連通する横孔５１ｃとが形成されている。
【００４３】
中空ボルト５４は、軸線方向の中央を含む領域に第１ネジ部５４ａを有し、軸線方向の下端を含む領域に第２ネジ部５４ｂを有している。調整ナット５６は、トップシンバルＴＳと点接触する一対の突部５６ａを有している。各突部５６ａは、調整ナット５６の下面において対向する位置にそれぞれ設けられている。調整ナット５６の外周面には、ロッド１３に取り付けられたハイハットクラッチ１５の向きを表示するための目印５６ｂが設けられている。
【００４４】
図４に示すように、ハイハットクラッチ１５は、クラッチ本体５１を介して、ロッド１３の上端に固定されている。ネジ５２は、ブロック体５２ｂの縦孔５２ａをクラッチ本体５１の縦孔５１ａと一致させた状態で、クラッチ本体５１の横孔５１ｃに挿通されている。そして、ネジ５２に螺合された蝶ナット５３をクラッチ本体５１に締め付けることにより、ロッド１３がブロック体５２ｂを介しクラッチ本体５１の縦孔５１ａに押し付けられて、ハイハットクラッチ１５がロッド１３に固定される。
【００４５】
中空ボルト５４は、クラッチ本体５１の縦孔５１ａに下方から圧入されると共に、固定ピン６０を介してクラッチ本体５１の下部に固定されている。中空ボルト５４の第１ネジ部５４ａには、上部ロックナット５５及び調整ナット５６がそれぞれ螺合されている。中空ボルト５４の第１ネジ部５４ａよりも下方の部分には、調整ナット５６との間にトップシンバルＴＳを介装した状態で、フェルト５７、保護カバー５８及び下部ロックナット５９がそれぞれ装着されている。下部ロックナット５９は、中空ボルト５４の第２ネジ部５４ｂに螺合されている。
【００４６】
ハイハットクラッチ１５は、第１ネジ部５４ａに螺合された調整ナット５６と第２ネジ部５４ｂに螺合された下部ロックナット５９との間にトップシンバルＴＳを挟持した状態で、ロッド１３の上端に取り付けられる。この状態で、下部ロックナット５９は、第２ネジ部５４ｂに締め付けられてトップシンバルＴＳの裏面を押圧し、調整ナット５６は、第１ネジ部５４ａに締め付けられてトップシンバルＴＳの表面を押圧する。また、上部ロックナット５５は、調整ナット５６が第１ネジ部５４ａに所望のトルクで締め付けられた状態から緩められないようにロックする。
【００４７】
続いて、ハイハットスタンド１０の作用について図１及び図５（ａ），（ｂ）を参照して説明する。
演奏者によりフットプレート３２が踏み込まれていない状態では、図５（ａ）に示すように、トップシンバルＴＳがボトムシンバルＢＳから離れている。このとき、トップシンバルＴＳは、ハイハットクラッチ１５により水平に保持された状態で、ロッド１３の上端に固定されている。一方、ボトムシンバルＢＳは、圧縮コイルばね４４の付勢力により所定の傾斜角度θに傾けられた状態で、上部パイプ２２の上端に支持されている。
【００４８】
演奏者によりフットプレート３２が踏み込まれると、図５（ｂ）に示すように、ロッド１３は、フットプレート３２の先端の動きに合わせて下方へ移動する。これにより、トップシンバルＴＳも下方へ移動し、最初に、トップシンバルＴＳの周縁の一部がボトムシンバルＢＳの周縁と接触する。そして、トップシンバルＴＳの周縁が、ボトムシンバルＢＳとの最初の接触箇所からそれとは反対側に向けて順次接触する。このとき、トップシンバルＴＳは、ハイハットクラッチ１５により水平に保持されたまま下方へと移動する。
【００４９】
一方、トップシンバルＴＳの押し下げにより圧縮コイルばね４４が圧縮されることで、ボトムシンバルＢＳは、トップシンバルＴＳに追従して水平な状態へとその傾きを変える。フットプレート３２が踏み込まれている状態では、圧縮コイルばね４４が、両シンバルＴＳ，ＢＳに対しこれらを合着する方向に付勢している。このため、ロッド１３と共に押し下げられたトップシンバルＴＳは、圧縮コイルばね４４の付勢力によって、ボトムシンバルＢＳに対して良好に合着されている。
【００５０】
フットプレート３２の踏み込みが解除されると、ロッド１３は、フットプレート３２の先端の動きに合わせて上方へ移動する。このときも、トップシンバルＴＳは、ハイハットクラッチ１５により水平に保持されたまま上昇する。トップシンバルＴＳの上昇により圧縮コイルばね４４が圧縮状態から開放されるため、ボトムシンバルＢＳは、水平にされた状態から、所定の傾斜角度θに傾けられた元の状態（図５（ａ）に示す状態）へと復帰する。こうして、トップシンバルＴＳは、常に水平に保持されたまま上下動することで、ボトムシンバルＢＳに対し接離される。
【００５１】
第１実施形態によれば、以下のような効果を得ることができる。
（１）ハイハットボトム１４は、付勢手段としての圧縮コイルばね４４を備えている。圧縮コイルばね４４は、トップシンバルＴＳ及びボトムシンバルＢＳの軸線Ｃ１から径方向に離間して配置されている。この構成によれば、例えば、ボトムシンバルＢＳにトップシンバルＴＳを接離させて演奏されるハイハットＨＳにおいて、フットプレート３２が踏み込まれている状態では、圧縮コイルばね４４の付勢力を利用して、ボトムシンバルＢＳがトップシンバルＴＳに追従して水平な状態へとその傾きを変えるため、トップシンバルＴＳ及びボトムシンバルＢＳを良好に合着させることができる。一方、フットプレート３２の踏み込みが解除されると、圧縮コイルばね４４の付勢力を利用して、ボトムシンバルＢＳは、水平にされた状態から、所定の傾斜角度θに傾けられた元の状態へと復帰することができる。つまり、ボトムシンバルＢＳがトップシンバルＴＳに追従して水平な状態へとその傾きを変えることで、トップシンバルＴＳを常に水平に保持したまま上下動させることができる。これにより、フットペダル１１を素早く連続的に操作する場合であっても、ハイハットＨＳに特有の音色を十分に響かせて演奏することができる。
【００５２】
（２）圧縮コイルばね４４は、両シンバルＴＳ，ＢＳの軸線Ｃ１から径方向に離間した位置で、トップシンバルＴＳと反対側に位置するボトムシンバルＢＳの下面ＢＳ１を上方に付勢する。この構成によれば、圧縮コイルばね４４によりボトムシンバルＢＳが弾性的に下方から支持されることによって、トップシンバルＴＳとボトムシンバルＢＳとの合着性がより一層高められる。また、ハイハットＨＳの場合、上下動するトップシンバルＴＳに追従して、ボトムシンバルＢＳの傾きを円滑に変化させることもできる。これにより、フットペダル１１を素早く連続的に操作する場合であっても、ハイハットＨＳに特有の音色をより一層響かせて演奏することができる。
【００５３】
（３）受け皿４２は、リテーナ４１に対し、両突起４１ｄを中心として回動可能に取り付けられている。圧縮コイルばね４４は、受け皿４２の先端部をリテーナ４１から離間する方向に付勢する。この構成によれば、受け皿４２がリテーナ４１に対し回動可能に取り付けられることで、ボトムシンバルＢＳの動きに合わせて受け皿４２を滑らかに回動させることができる。よって、上下動するトップシンバルＴＳに追従して、ボトムシンバルＢＳの傾きをより一層円滑に変化させることもできる。また、従来のハイハットボトムの構造から大幅な設計変更を伴わないため、既存の部品を設計し直したり、新たに別の部品を準備したりするための作業を少なくすることができる。よって、設計コストの上昇、ひいては、製造コストの上昇を抑制することができる。
【００５４】
（４）ハイハットボトム１４は、トップシンバルＴＳ及びボトムシンバルＢＳが合着したときに付与される圧縮コイルばね４４の付勢力を調節可能に構成されている。この構成によれば、調節手段としてボルト４３を回すことによって、トップシンバルＴＳ及びボトムシンバルＢＳが合着したときに付与される圧縮コイルばね４４の付勢力を調節することができる。これにより、ハイハットＨＳを叩打したときの感触を調節したり、ハイハットＨＳの音色を調節したりすることができる。
【００５５】
（５）受け皿４２は、リテーナ４１に対し着脱可能に組み付けられている。この構成によれば、受け皿４２をリテーナ４１から取り外すことにより、受け皿４２とリテーナ４１との間に取り付けられた圧縮コイルばね４４を交換することができる。こうして、圧縮コイルばね４４をばね定数の異なる圧縮コイルばねと交換することにより、ハイハットＨＳを叩打したときの感触やハイハットＨＳの音色を調節できる範囲を広くすることができる。
【００５６】
（６）調整ナット５６は、トップシンバルＴＳと接触する一対の突部５６ａを有している。この構成によれば、ハイハットクラッチ１５とトップシンバルＴＳとの接触面積を小さく抑えることができる。よって、ハイハットクラッチ１５によりトップシンバルＴＳの振動が妨げられないため、ハイハットＨＳの音色をより一層響かせることができる。
【００５７】
（７）ハイハットクラッチ１５の向きによっては、調整ナット５６の突部５６ａによりトップシンバルＴＳの振動が妨げられて、ハイハットＨＳの音色が響かなくなることがある。例えば、本実施形態の場合、調整ナット５６の一対の突部５６ａがハイハットＨＳを叩打する位置と同一直線上にある場合よりも、両突部５６ａがハイハットＨＳの叩打位置から９０度ずれている場合の方が、ハイハットＨＳを振動させ易くすることができ、ハイハットＨＳの音色を響かせることができる。その点、本発明によれば、調整ナット５６の外周面に目印５６ｂが設けられているため、演奏者は、調整ナット５６の目印５６ｂを見て、ハイハットＨＳが振動し易くなるように、ハイハットクラッチ１５の向きを適宜調節することができる。このため、調整ナット５６の突部５６ａにより、トップシンバルＴＳの振動が妨げられることを防止することができる。
（第２実施形態）
以下、本発明のシンバルの取付構造をクローズドハイハットアタッチメント８０に適用した第２実施形態について、図６〜図７を参照して説明する。なお、第２実施形態における第１実施形態と同様の部分についてはその詳細な説明を省略する。
【００５８】
図６に示すように、クローズドハイハットアタッチメント８０は、クランプ８１、ロッドアッセンブリ８２、支持具としてのハイハットボトム１４、取付具としてのハイハットクラッチ１５を備えている。クランプ８１は、クローズドハイハットＣＨが取り付けられる楽器用スタンドやパイプ等の対象物を把持する。ロッドアッセンブリ８２は、クランプ８１が固定される第１ロッド８３と、クローズドハイハットＣＨが取り付けられる第２ロッド８４と、第１及び第２ロッド８３，８４を回動可能に連結する連結部材８５とを備えている。
【００５９】
図７に示すように、ハイハットボトム１４は、リテーナ４１を介して、第２ロッド８４の下端に設けられた円柱部材８７に固定されている。ハイハットクラッチ１５は、クラッチ本体５１を介して、第２ロッド８４の上端に固定されている。クローズドハイハットＣＨを構成する一対のシンバルのうち、トップシンバルＴＳは、ハイハットクラッチ１５により水平に保持された状態で、第２ロッド８４の上端に取り付けられている。ボトムシンバルＢＳは、ハイハットボトム１４を介して、第２ロッド８４の下端に支持されている。
【００６０】
このとき、ボトムシンバルＢＳは、圧縮コイルばね４４の付勢力により、水平面Ｈに対し傾斜する方向に付勢されることで、トップシンバルＴＳに押し付けられている。しかしながら、ここでは、トップシンバルＴＳがハイハットクラッチ１５により水平に保持されているため、ボトムシンバルＢＳもトップシンバルＴＳに追従して水平に保持されている。尚、ここで、水平面Ｈとは、長尺部材としての第２ロッド８４の軸線、即ち、トップシンバルＴＳ及びボトムシンバルＢＳの軸線Ｃ１と直交する面を意味している。また、この場合、トップシンバルＴＳの周縁をボトムシンバルＢＳの周縁に密着させるように、トップシンバルＴＳがボトムシンバルＢＳに合着されている。
【００６１】
第２実施形態によれば、以下のような効果を得ることができる。
（２）上記の取付構造によれば、トップシンバルＴＳとボトムシンバルＢＳとの合着性が、圧縮コイルばね４４等の付勢手段を有しない従来の取付構造よりも向上する。このため、従来のクローズドハイハットアタッチメントを用いてクローズドハイハットＣＨを取り付けた場合と比較して、クローズドハイハットＣＨの音色をより一層響かせることができる。
【００６２】
また、ボルト４３を回してトップシンバルＴＳ及びボトムシンバルＢＳに付与される圧縮コイルばね４４の付勢力を調節することで、クローズドハイハットＣＨの音色を演奏者の好みに応じて変更することができる。つまり、クローズドハイハットアタッチメント８０に圧縮コイルばね４４を組み込むことで、調節できるクローズドハイハットＣＨの音色の範囲を、従来のクローズドハイハットアタッチメントよりも広げることができる。
【００６３】
なお、第１及び第２実施形態は、以下のように変更してもよい。
・第１及び第２実施形態において、圧縮コイルばね４４の取付位置を図８に示すように変更してもよい。この場合、ハイハットボトム９０は、上部パイプ２２の上端に固定されるリテーナ９１と、リテーナ９１に対し回動可能に連結された受け皿９２と、リテーナ９１及び受け皿９２間に取り付けられた圧縮コイルばね９３とを備えている。圧縮コイルばね９３は、その軸線Ｃ２をトップシンバルＴＳ及びボトムシンバルＢＳの軸線Ｃ１と一致させるように配置されている。この構成によっても、圧縮コイルばね９３は、ボトムシンバルＢＳをロッド１３に対し傾斜させるように、ボトムシンバルＢＳの下面を付勢することができる。
【００６４】
・第１実施形態において、ボトムシンバルＢＳに対向するトップシンバルＴＳの上面を付勢するように、ハイハットクラッチ１５に圧縮コイルばね４４を取り付けてもよい。この場合、トップシンバルＴＳは、圧縮コイルばね４４の付勢力により所定の傾斜角度θに傾けられた状態で支持されている。演奏者によりフットプレート３２が踏み込まれると、トップシンバルＴＳは、ボトムシンバルＢＳに追従して水平な状態へとその傾きを変える。尚、第２実施形態においても、ボトムシンバルＢＳに対向するトップシンバルＴＳの上面を付勢するように、ハイハットクラッチ１５に圧縮コイルばね４４を取り付けてもよい。
【００６５】
・第１及び第２実施形態において、ハイハットボトム１４から受け皿４２を省略してもよい。つまり、圧縮コイルばね４４がボトムシンバルＢＳの下面を直接付勢するように、ハイハットボトム１４を構成してもよい。
【００６６】
・第１及び第２実施形態において、調節手段としてのボルト４３を省略してもよい。つまり、ハイハットボトム１４から、トップシンバルＴＳ及びボトムシンバルＢＳが合着したときに付与される付勢力を調節するための機能を省略してもよい。
【００６７】
・第１及び第２実施形態において、ハイハットクラッチ１５を構成する調整ナット５６から一対の突部５６ａを省略してもよい。この場合、突部５６ａに代えて、調整ナット５６とトップシンバルＴＳとの間に、緩衝部材としてのフェルトを配置してもよい。
【００６８】
・第１及び第２実施形態において、ハイハットクラッチ１５を構成する調整ナット５６から目印５６ｂを省略してもよい。
・第２実施形態において、ハイハットクラッチ１５及びハイハットボトム１４を用いて、種々のタイプのシンバルスタンドにクローズドハイハットＣＨを取り付けてもよい。
【符号の説明】
【００６９】
Ａ…回動中心、ＢＳ…ボトムシンバル、ＢＳ１…下面、Ｃ１…軸線、ＣＨ…クローズドハイハット、Ｈ…水平面、ＨＳ…ハイハット（シンバル）、ＴＳ…トップシンバル、１０…ハイハットスタンド、１１…フットペダル、１２…スタンド本体、１３…ロッド（長尺部材）、１４…ハイハットボトム（支持具）、１５…ハイハットクラッチ（取付具）、２１…下部パイプ、２２…上部パイプ（長尺部材）、３２…フットプレート、４１…リテーナ、４２…受け皿、４３…ボルト（調節手段）、４４…圧縮コイルばね（付勢手段）、５６ａ…突部、５６ｂ…目印、８０…クローズドハイハットアタチメント、８１…クランプ，８２…ロッドアッセンブリ（長尺部材）。
【図１】
0005345165.tif 000002
【図２】
0005345165.tif 000003
【図３】
0005345165.tif 000004
【図４】
0005345165.tif 000005
【図５】
0005345165.tif 000006
【図６】
0005345165.tif 000007
【図７】
0005345165.tif 000008
【図８】
0005345165.tif 000009
【図９】
0005345165.tif 000010